(57)【要約】【課題】  複数の色の色漆を使用して濃淡があり立体感のある絵柄や模様を筆の使い方だけで描くことを可能とする。【解決手段】  一本の平筆１の両端側２ａ，２ｂにそれぞれ異なる色の色漆４，５をそれぞれ混じり合わないように付ける第１の工程と、異なる色の色漆４，５を付けた平筆１をパレット３上で押し付け複数回こすり馴染ませることで、中間部２ｃに異なる色が混じりあったグラデーションを生成する第２の工程と、漆が浸透しない処理が施されている下地の表面で、両端側２ａ，２ｂにそれぞれ異なる色の色漆４，５が付けられると共に中間部２ｃに異なる色の色漆が混じり合ったグラデーションが生成された平筆１を動かし絵柄や模様を描く第３の工程からなる。【選択図】図２
2011121350.tif 000002
【特許請求の範囲】
【請求項１】
一本の平筆の両端側にそれぞれ異なる色の色漆をそれぞれ混じり合わないように付ける第１の工程と、前記両端側に異なる色の色漆を付けた平筆をパレット上で押し付け複数回こすり馴染ませることで、中間部に前記異なる色が混じりあったグラデーションを生成する第２の工程と、漆が浸透しない処理が施されている下地の表面で、前記両端側にそれぞれ異なる色の色漆が付けられる共に中間部に前記異なる色の色漆が混じり合ったグラデーションが生成された平筆を動かし絵柄や模様を描く第３の工程を含むことを特徴とする色漆の絵付技法。
【請求項２】
前記下地は、漆塗りを施した漆塗層面であることを特徴とする請求項１記載の色漆の絵付技法。
【請求項３】
前記パレットは、ガラス板であることを特徴とする請求項１記載の色漆の絵付技法。
【請求項４】
漆が浸透しない処理が施されている下地の表面に、両端側にそれぞれ異なる色の色漆が付けられると共に中間部に前記異なる色の色漆が混じり合ったグラデーションが生成された平筆を動かし絵柄や模様が描かれたものであることを特徴とする色漆絵付製品。
【発明の詳細な説明】
【技術分野】
【０００１】  本発明は、立体感のある絵柄や模様を描く色漆の絵付技法及び色漆絵付製品に関する。
【背景技術】
【０００２】  漆はわが国では、数千年も前から食器類をはじめとする日用品や、建築物等に塗料として広範囲に利用されてきた。一般的に漆は非常に堅固であることで知られ、日常の使用にも十分耐えうるが、取扱い方や手入れ方法等の難しさもあり日常での使用頻度は少ないのが現状である。そこで一般の消費者にも手軽に使用してもらえるような漆製品の開発が望まれている。【０００３】  従来、一般に漆塗り製品に対する色漆を使った絵付けは、漆塗りを施した漆塗層の形成後に、色漆を一色だけ細い丸筆にとり、漆塗層面に絵柄や模様等を描くようにしている。【０００４】  このような一般的な色漆の絵付けは、細い丸筆に色漆を一色だけつけて、漆塗層面に絵付けするようにしていることから、濃淡のない平面的なものにならざるを得なかった。また、複数の色を用いて立体感を出したいような場合は、例えば蒔絵の技法を用い、上述したように細い丸筆である色の色漆で絵柄や模様を絵付けしてほぼ乾いた状態で、その上に金や銀の粉や色漆の顔料の粉を蒔いて立体感のある絵柄や模様を表現するようにしている。
【発明の概要】
【発明が解決しようとする課題】
【０００５】  しかしながら、蒔絵の技法を使って立体感のある絵柄や模様を表現する絵付技法にあっては、工程が多いため制作に多くの時間を要すると共にグラデーションのような濃淡のある微妙な色使いを表現することは極めて困難なことであった。【０００６】  本発明は、上記の課題を解決するためになされたものであり、複数の色の色漆を使用して濃淡があり立体感のある絵柄や模様を筆の使い方だけで描くことができる色漆の絵付技法及び色漆絵付製品を提供することを目的とする。
【課題を解決するための手段】
【０００７】  上記目的を達成するために、本発明は色漆の絵付技法にあっては、一本の平筆の両端側にそれぞれ異なる色の色漆をそれぞれ混じり合わないように付ける第１の工程と、両端側に異なる色の色漆を付けた平筆をパレット上で押し付け複数回こすり馴染ませることで、中間部に異なる色が混じりあったグラデーションを生成する第２の工程と、漆が浸透しない処理が施されている下地の表面で、両端側にそれぞれ異なる色の色漆が付けられる共に中間部に異なる色の色漆が混じり合ったグラデーションが生成された平筆を動かし絵柄や模様を描く第３の工程を含むことを特徴とする。【０００８】  また、下地は、漆塗りを施した漆塗層面であることを特徴とする。【０００９】  また、パレットは、ガラス板であることを特徴とする。【００１０】  また、本発明の色漆絵付製品にあっては、凹凸がなく漆が浸透しない処理が施されている下地の表面に、両端側にそれぞれ異なる色の色漆が付けられると共に中間部に異なる色の色漆が混じり合ったグラデーションが生成された平筆を動かし絵柄や模様が描かれたものであることを特徴とする。
【発明の効果】
【００１１】  本発明によれば、平筆の中間部に異なる色が混じりあったグラデーションを生成することで、１度の筆の運びで多数の色をのせることができ、濃淡のある微妙な色使いを表現可能とし、従来の絵付技法では得られなかった立体感のある絵柄や模様を容易に描くことできる。したがって、この絵付技法であれば、一般的な蒔絵・日本画のような絵柄や模様だけでなく華やかな洋風の絵柄や模様も描くことができる。【００１２】  また、漆器といえば、和風の器のイメージであるが、本発明の絵付技法を用いれば洋食器のように華やかな絵柄や模様を描くことが可能となり、若い世代にも受け入れらる製品の制作を行なうことができる。また普段使いできる食器の制作も可能となり、漆器の利用頻度を上げることが可能となる。
【図面の簡単な説明】
【００１３】
【図１】  本発明の絵付技法の工程を示した説明図である。
【図２】  本発明の絵付技法を使った描き方の例を示した説明図である。
【図３】  本発明の絵付技法を使ってバラを描いた盆（一部）の写真である。
【発明を実施するための形態】
【００１４】  本発明の色漆の絵付技法及び色漆絵付製品に係る実施の形態を図面に基づいて詳しく説明する。
【００１５】  本発明の色漆の絵付技法の工程を、図１を参照して説明する。
【００１６】  本発明の絵付技法にあっては、平筆１を使用することになる。平筆１としては、セーブル筆など自然毛のものだけが使用可能である。先ずガラス板からなるパレット３上の少し離れた２箇所に、異なる２色の色漆、色漆４（赤色）、色漆５（白色）を置く。色漆が滲み込むような素材のパレットは使用できない。ガラス板は、色漆が滲み込むようなことがなく且つ色も確認し易いことから、パレットの素材として最適である。
【００１７】  次に、図１（１）に示すように平筆１の毛先２の一端側２ａの角にパレット３の色漆４（赤色）を付け、次に図１（２）に示すように平筆１の毛先２の他端側２ｂの角にパレット３の色漆５（白色）を、色漆４（赤色）が混じらないように付ける（第１の工程）。
【００１８】  次に、パレット３上で、第１の工程で毛先２の一端側２ａに色漆４（赤色）、他端側２ｂに色漆５（白色）を付けた平筆１を軽く押し付けこすり馴染ませると共に中間部２ｃに色漆４（赤色）、色漆５（白色）の混じり合った色（ピンク色）のグラデーションを生成する（第２の工程）。
【００１９】  具体的には、図１（３）に示すように、パレット３の色漆４（赤色）、色漆５（白色）のある場所から離れた場所の平筆１に色漆を馴染ませるエリア６において、第１の工程で毛先２の一端側２ａに色漆４（赤色）、他端側２ｂに色漆５（白色）を付けた平筆１の毛先２を水平の状態で、パレット３の上で軽く押し付け２ｃｍ程度の長さで手前側に引く動作を５〜６回程度繰り返し行う。手前側に引く動作は同じ位置ではなく、例えば平筆１の幅が１ｃｍ程度の場合は、左右に３〜５ｍｍ程度移動させながら行うことになる。
【００２０】  パレット３上で平筆１に色漆を馴染ませるエリア６では、エリアの一端側６ａに平筆１の一端側２ａをこすり色漆４（赤色）が付くように、エリアの他端側６ｂに平筆１の他端側２ｂをこすり色漆５（白色）が付くようにする。更に、エリアの中心部６ｃでは、前述したように、平筆１を手前に引く動作を複数回に渡り左右に移動させながら行うことで、色漆４（赤色）、色漆５（白色）の色の境目が混じり合うようになり、２色の混じり合った色（ピンク色）のグラデーションが生成される。グラデーションは、エリアの一端側６ａに近いほど色漆４（赤色）が多い、エリアの一端側６ｂに近いほど色漆５（白色）が多い、２色の混じり合った色（ピンク色）のグラデーションが生成されることになる。なお、平筆１を左右に移動させてグラデーションを生成する場合でも、平筆１の毛先２の両端側には最初に付けた色の色漆をそのまま残すようにする。
【００２１】  結果、これらパレット３上の色漆は平筆１に馴染むことになることから、図１（４）に示すように、平筆１の毛先２の一端側２ａに色漆４（赤色○）、他端側に色漆５（白色×）、中央部２ｃに２色の混じり合った色漆（ピンク色△）のグラデーションが生成されることになる。
【００２２】  次に、凹凸がなく漆が浸透しない処理が施されている下地の表面で、平筆１の両端側にそれぞれ異なる色（赤色○、白色×）の色漆が付けられる共に中間部に異なる色の色漆が混じり合った色（ピンク色△）のグラデーションが生成された平筆を動かし絵柄や模様を描くことになる（第３の工程）。このように平筆１の両端側にそれぞれ異なる色の色漆が付けられる共に平筆１の中間部に異なる色が混じりあったグラデーションを生成することで、１度の筆の運びで多数の色をのせることができ、濃淡のある微妙な色使いが表現可能となる。描いた後は、特にコーティングなどは必要なく、湿度を管理しながら、２週間〜１カ月程度放置して乾燥させることで製品は完成である。
【００２３】  なお、上記の実施形態にあっては、異なる２色の色漆の色として赤色と白色、混じりあった色としてピンク色を使って説明したが、それ以外にも、異なる２色の色漆の色として黄色と緑色、混じりあった色として黄緑色など、いろいろな色の組み合わせが可能である。また、凹凸がなく漆が浸透しない処理が施されている下地の表面としては、漆器などの漆塗りを施した漆塗層面で描くことが可能である。色漆が浸透しないような処理が施されている下地であればどのようなものでも描くことができる。
【００２４】  本発明の絵付技法を使った描き方の例を、図２を参照して説明する。
【００２５】  半月型になるように平筆１の筆圧を加減しながら１回のストロークで、図２（１）に示すような花びらの絵柄を描くことができる。例えば平筆１の両端側に赤色○と白色×の色漆が付けられる共に中間部にこれらの色の色漆が混じり合ったピンク色△のグラデーションが生成された平筆を用いて描くことで、両端に赤色と白色、中間にピンク色のグラデーションの掛かった色鮮やかなバラの花びらが描くことができる。
【００２６】  平筆１を約４５度の角度で置きＳ字を描くように下方に引く１回のストロークで、図２（２）に示すような葉の絵柄を描くことがきる。また、約４５度の角度で平筆を置き左側を葉の根元から葉先に向かい葉脈のようにジグザグに動かし葉先で筆を止め、右側も同様に平筆を動かし、２回のストロークに分けることで、図２（３）に示すような葉の絵柄を描くことができる。例えば平筆１の両端側に緑色■と黄色●の色漆が付けられる共に中間部にこれらの色の色漆が混じり合った黄緑色▼のグラデーションが生成された平筆を用いて描くことで、両端に緑色と黄色、中間に黄緑色のグラデーションの掛かった色鮮やかな葉が描くことができる。なお、上述したのは、描き方の例であることから、これ以外にもいろいろな描き方が可能である。
【００２６】  図３は、本発明の絵付技法を使ってバラ（花びら、葉など）を描いた盆（一部）の写真である。
【産業上の利用可能性】
【００２７】  本発明の色漆の絵付技法によれば、漆器の他、漆塗装をした装飾品、家具などにも応用可能である。
【符号の説明】
【００２８】１  平筆
２  毛先
２ａ  毛先の一端側
２ｂ  毛先の他端側
２ｃ  毛先の中間部
３  パレット
４  色漆（赤色）
５  色漆（白色）
６  平筆１に色漆を馴染ませるエリア
６ａ  エリアの一端側
６ｂ  エリアの他端側
６ｃ  エリアの中間部
【図１】
2011121350.tif 000003
【図２】
2011121350.tif 000004
【図３】
2011121350.tif 000005